(57)【特許請求の範囲】
【請求項１】
マイクロホンのマイクロホンユニットから出力される信号をフィルタリングする周波数フィルタ装置であって、
トランスと、
前記トランスの磁路に磁界を印加させる磁界印加部と、
を備え、
前記トランスは、
コイルと、
第１コアと、
第２コアと、
を備え、
前記第１コアが形成する第１磁路の磁束は、前記第２コアが形成する第２磁路の磁束よりも大きく、
前記磁界印加部は、前記第２磁路に磁界を印加し、
前記磁界印加部と前記トランスとの距離は、可変である、
ことを特徴とする周波数フィルタ装置。
【請求項２】
前記第１コアと前記第２コアとは、複数の磁性材が積層されて構成され、
前記第１コアを構成する前記磁性材の数は、前記第２コアを構成する前記磁性材の数よりも多い、
請求項１記載の周波数フィルタ装置。
【請求項３】
前記複数の磁性材は、
第１磁性材と、
前記第1磁性材の形状と異なる形状の第２磁性材と、
を備え、
前記コイルは、
中空部、
を備え、
前記第１磁性材は、
前記中空部に配置される第１中央部と、
前記第１コアを構成する第１１コア部と、
前記第２コアを構成する第１２コア部と、
を備え、
前記第２磁性材は、
前記中空部に配置される第２中央部と、
前記第１コアを構成する２１コア部と、
を備え、
前記第１中央部と前記第２中央部とは、前記中空部内で積層されて、前記第１コアと前記第２コアとを構成する、
請求項２記載の周波数フィルタ装置。
【請求項４】
前記第１コアと前記第２コアとは、前記中空部の貫通方向に直交する方向に並んで配置される、
請求項３記載の周波数フィルタ装置。
【請求項５】
前記磁界印加部は、前記中空部の貫通方向に直交する方向に移動可能である、
請求項４記載の周波数フィルタ装置。
【請求項６】
マイクロホンユニットと、
前記マイクロホンユニットから出力される信号をフィルタリングする周波数フィルタと、
を有してなり、
前記周波数フィルタは、請求項１乃至５のいずれかに記載の周波数フィルタ装置である、
ことを特徴とするマイクロホン。
【発明の詳細な説明】
【技術分野】
【０００１】
本発明は、マイクロホン用周波数フィルタ装置とマイクロホンに関する。
【背景技術】
【０００２】
マイクロホンは、振動が加えられると雑音（振動雑音）を発生し、風が当てられると雑音（風雑音）を発生する。マイクロホンの中でもダイナミック型マイクロホンは、振動や風の影響を受けやすく、振動雑音や風雑音を生じやすい。一般的に、振動雑音や風雑音は、周波数応答の低域側に現れる。そのため、マイクロホンにおいては、周波数応答の低域をフィルタなどで取り除くローカットが行われている。
【０００３】
ダイナミック型マイクロホンは、通常、電子回路を内蔵していない。そのため、ローカットは、例えば、低域をカットするコンデンサなどの受動素子を信号路に直列に接続する方式で行われる。しかし、この方式では、周波数応答の低域でマイクロホンの出力インピーダンスが上昇する。
【０００４】
コンデンサを用いないローカットの方式としては、インダクタを信号路に並列に接続する方式がある。しかし、この方式では、大型のインダクタを用いるため、マイクロホンの小型化が困難となる。また、この方式では、ローカットのカットオフ周波数を連続的に可変することができない。
【０００５】
これまでにも、ダイナミック型マイクロホンの一種であるリボン型マイクロホンにおいて、昇圧トランスのコアの磁気的結合度合いを調節することでローカットのカットオフ周波数を連続的に可変させる技術が提案されている（例えば、特許文献１参照）。
【先行技術文献】
【特許文献】
【０００６】
【特許文献１】特開２００９−２６７５３９号公報
【発明の概要】
【発明が解決しようとする課題】
【０００７】
しかしながら、特許文献１に開示された技術では、ローカットを行う昇圧トランスに分割されたコア、調整ねじ、弾性材などを用いる。そのため、昇圧トランスの構造が複雑である。また、分割されたコアの僅かな隙間の大小によりカットオフ周波数を調節するため、カットオフ周波数の微調整が難しい。
【０００８】
本発明は、以上のような従来技術の問題点を解消するためになされたもので、簡易な構成で、容易、かつ、連続的にカットオフ周波数を可変可能なマイクロホン用周波数フィルタ装置とマイクロホンとを提供することを目的とする。
【課題を解決するための手段】
【０００９】
本発明は、マイクロホンのマイクロホンユニットから出力される信号をフィルタリングする周波数フィルタ装置であって、トランスと、トランスの磁路に磁界を印加させる磁界印加部と、を備え、トランスは、コイルと、第１コアと、第２コアと、を備え、第１コアが形成する第１磁路の磁束は、第２コアが形成する第２磁路の磁束よりも大きく、磁界印加部は、第２磁路に磁界を印加することを特徴とする。
【発明の効果】
【００１０】
本発明によれば、簡易な構成で、容易、かつ、連続的にカットオフ周波数を変更することができる。
【図面の簡単な説明】
【００１１】
【図１】本発明にかかるマイクロホンの実施の形態を示す正面図である。
【図２】図１のマイクロホンのＡＡ線断面図である。
【図３】図２のマイクロホンの分解断面図である。
【図４】図１のマイクロホンが備えるトランスの正面図である。
【図５】図４のトランスのＢ矢視の底面図である。
【図６】図４のトランスが備えるコイルの正面図である。
【図７】図６のコイルのＣ矢視の底面図である。
【図８】図４のトランスが備える第１磁性材の正面図である。
【図９】図８の第１磁性材のＤ矢視の底面図である。
【図１０】図４のトランスが備える第２磁性材の正面図である。
【図１１】図１０の第２磁性材のＥ矢視の底面図である。
【図１２】図１のマイクロホンが備えるスイッチがＯＮのときの本発明にかかるマイクロホン用周波数フィルタ装置の模式図である。
【図１３】図１２のスイッチがＯＦＦのときの本発明にかかるマイクロホン用周波数フィルタ装置の模式図である。
【図１４】図１２のスイッチをＯＮからＯＦＦに移動させたときのマイクロホンの周波数応答のグラフである。
【発明を実施するための形態】
【００１２】
以下、図面を参照しながら、本発明にかかるマイクロホン用周波数フィルタ装置とマイクロホンとの実施の形態について説明する。
【００１３】
●マイクロホン●
先ず、本発明にかかるマイクロホンの実施の形態について説明する。
【００１４】
●マイクロホンの構成
図１は、本発明にかかるマイクロホンの実施の形態を示す正面図である。
マイクロホン１は、音源（不図示）からの音波を収音する。マイクロホン１は、手持ち式マイクロホンである。
【００１５】
図２は、図１のマイクロホン１のＡＡ線断面図である。
図３は、マイクロホン１の分解断面図である。
マイクロホン１は、グリップ筐体１０と、ヘッドケース２０と、ヘッドケース取付部材３０と、取付ねじ４０と、マイクロホンユニット（以下「ユニット」という。）５０と、ユニットホルダ６０と、第１弾性体７０と、第２弾性体８０と、トランス９０と、スイッチ１００と、出力コネクタ１１０と、ネームリング１２０と、を有してなる。
【００１６】
以下の説明において、前方は、収音時にマイクロホン１が音源に向けられる側（図２の紙面上側）の方向である。後方は、前方の反対側（図２の紙面下側）の方向である。
【００１７】
グリップ筐体１０は、マイクロホン１のグリップとして機能する。グリップ筐体１０は、例えば、真鍮などの金属製である。グリップ筐体１０は、例えば、ダイカストで製造される。グリップ筐体１０は、円筒状である。グリップ筐体１０は、固定部１１と、コネクタ収納部１２と、スイッチ取付部１３と、を備える。
【００１８】
固定部１１は、ヘッドケース取付部材３０を固定する。固定部１１は、グリップ筐体１０の前端側に配置される。固定部１１は、ねじ挿通孔１１ｈを備える。ねじ挿通孔１１ｈは、取付ねじ４０が挿通される孔である。
【００１９】
コネクタ収納部１２は、出力コネクタ１１０を収納する。コネクタ収納部１２は、グリップ筐体１０の後端側に配置される。コネクタ収納部１２の内径は、グリップ筐体１０の他の部位の内径よりも小さい。コネクタ収納部１２は、工具挿通孔１２ｈを備える。工具挿通孔１２ｈについては、後述する。
【００２０】
スイッチ取付部１３は、スイッチ１００を前後方向（図２の紙面上下方向）にスライド可能に支持する。スイッチ取付部１３は、グリップ筐体１０の前後方向のほぼ中央部に配置される。
【００２１】
ヘッドケース２０は、ユニット５０を収納して、ユニット５０を埃や風などから保護する。ヘッドケース２０は、ケース部２１とケース固定部２２とを備える。
【００２２】
ケース部２１は、ユニット５０を埃や風などから保護する。ケース部２１は、例えば、鋼鉄製のアウターグリルと、金属メッシュ（不図示）と、ウレタンフォーム（不図示）との３層構造である。ケース部２１は、後端に開口を有する樽状である。ケース固定部２２は、ケース部２１をヘッドケース取付部材３０に固定する。ケース固定部２２は、リング状である。ケース固定部２２は、ケース部２１の後端（開口端）に取り付けられる。ケース固定部２２は、雌ねじ部２２ａを備える。雌ねじ部２２ａは、ケース固定部２２の内周面に配置される。
【００２３】
ヘッドケース取付部材３０は、ヘッドケース２０をグリップ筐体１０に取り付ける。ヘッドケース取付部材３０は、例えば、真鍮などの金属製である。ヘッドケース取付部材３０は、有底円筒状である。ヘッドケース取付部材３０は、雄ねじ部３０ａと雌ねじ孔３０ｈとを備える。雄ねじ部３０ａは、ヘッドケース取付部材３０の前端の外周面に配置される。雌ねじ孔３０ｈは、ヘッドケース取付部材３０の中央部の周壁に配置される。ヘッドケース取付部材３０の底面３１は、底面３１の中央に支持孔３１ｈを備える。支持孔３１ｈは、ユニットホルダ６０を支持する。
【００２４】
取付ねじ４０は、ヘッドケース取付部材３０をグリップ筐体１０に固定する。取付ねじ４０は、例えば、皿小ねじである。
【００２５】
ユニット５０は、音源からの音波を収音して、収音した音波に応じた電気信号を出力する。ユニット５０は、例えば、単一指向性のダイナミック型マイクロホンユニットである。
【００２６】
なお、ユニット５０の指向性は、単一指向性に限定されない。また、ユニット５０の型は、ダイナミック型に限定されない。
【００２７】
ユニットホルダ６０は、ユニット５０を保持すると共に、ユニットホルダ６０の内部に後述する空気室Ａを形成する。ユニットホルダ６０は、例えば、真鍮などの金属製である。ユニットホルダ６０は、前端が開口するほぼ有底円筒状である。ユニットホルダ６０は、弾性体支持部６１を備える。
【００２８】
弾性体支持部６１は、第２弾性体８０を支持する。弾性体支持部６１は円筒状である。弾性体支持部６１は、ユニットホルダ６０と一体である。弾性体支持部６１は、ユニットホルダ６０の底面から後方に突出する。弾性体支持部６１は、ケーブル挿通孔６１ｈを備える。ケーブル挿通孔６１ｈは、ユニット５０とトランス９０とを電気的に接続するケーブル（不図示）が挿通される孔である。
【００２９】
第１弾性体７０は、グリップ筐体１０（ヘッドケース取付部材３０）からユニットホルダ６０への振動の伝播を抑制する。第１弾性体７０は、例えば、ゴムなどの弾性を有する合成樹脂製である。第１弾性体７０は、リング状である。
【００３０】
第２弾性体８０は、グリップ筐体１０（ヘッドケース取付部材３０）からユニットホルダ６０への振動の伝播を抑制する。第２弾性体８０は、例えば、ゴムなどの弾性を有する合成樹脂製である。第２弾性体８０は、ほぼリング状である。
【００３１】
トランス９０は、スイッチ１００と共に、ユニット５０からの電気信号のフィルタリングを行うフィルタであるマイクロホン用周波数フィルタ装置（以下「周波数フィルタ装置」という。）Ｆを構成する。フィルタリングとは、例えば、電気信号の所定帯域（例えば、低域）の周波数成分を劣化させる処理である。周波数フィルタ装置Ｆの構成や動作については、後述する。
【００３２】
出力コネクタ１１０は、例えば、ＪＥＩＴＡ  ＲＣ−５２３６「音響機器用ラッチロック式丸形コネクタ」に規定される出力コネクタである。出力コネクタ１１０は、円柱状の基台１１１と、接地用の１番ピン（不図示）と、信号のホット側の２番ピン１１２と、信号のコールド側の３番ピン１１３と、雄ねじ１１４と、を備える。
【００３３】
基台１１１は、ねじ穴１１１ｈを備える。ねじ穴１１１ｈは、基台１１１の外周面に配置される。雄ねじ１１４は、ねじ穴１１１ｈに嵌め込まれる。１番ピンと２番ピン１１２と３番ピン１１３は、基台１１１を前後方向に貫通する。
【００３４】
ネームリング１２０は、グリップ筐体１０の固定部１１と、取付ねじ４０と、を覆って、マイクロホン１の外観の美感を高める。ネームリング１２０の材料は、例えば、金属である。ネームリング１２０の形状は、略円筒状である。
【００３５】
●周波数フィルタ装置の構成
次に、本発明にかかる周波数フィルタ装置の実施の形態について説明する。
【００３６】
周波数フィルタ装置Ｆは、ユニット５０から出力される電気信号のフィルタリングを行う。周波数フィルタ装置Ｆは、例えば、入力信号の所定周波数（遮断周波数）より低い周波数成分を劣化させて、所定周波数より高い周波数成分を通すハイパスフィルタとして機能する。周波数フィルタ装置Ｆは、前述のとおり、トランス９０とスイッチ１００とにより構成される。
【００３７】
図４は、トランス９０の正面図である。
図５は、図４のトランス９０のＢ矢視の底面図である。
図４中の二点鎖線は、後述するコア９３の磁路Ｍを示す。
【００３８】
トランス９０は、ユニット５０からの電気信号を昇圧して、出力コネクタ１１０に出力する。トランス９０は、コイルボビン９１と、１次巻線（不図示）と、２次巻線９２と、コア９３と、を備える。コイルボビン９１と１次巻線と２次巻線９２とは、トランス９０のコイル９６を構成する。
【００３９】
図６は、コイル９６の正面図である。
図７は、図６のコイル９６のＣ矢視の底面図である。
コイルボビン９１は、１次巻線と２次巻線９２とが巻き回される芯材である。コイルボビン９１は、例えば、絶縁性を有する合成樹脂製である。コイルボビン９１は、例えば、矩形筒状である。コイルボビン９１は、孔（以下「中空部」という。）９１ｈを備える。
【００４０】
中空部９１ｈは、コイルボビン９１の軸方向（図６の紙面上下方向）に沿って、コイルボビン９１の中央に配置される。中空部９１ｈは、底面視において矩形である。
【００４１】
１次巻線は、コア９３と共に、トランス９０の入力側コイルを構成する。２次巻線９２は、コア９３と共に、トランス９０の出力側コイルを構成する。１次巻線と２次巻線９２とは、例えば、銅線である。
【００４２】
コア９３は、入力側コイルに入力された電気信号により発生した磁束の通路（以下「磁路」という。）Ｍを構成する。コア９３は、図４に示されるように、第１コア９３ａと第２コア９３ｂとを備える。第１コア９３ａと第２コア９３ｂとは、平面視において同じ矩形枠状である。第１コア９３ａの枠の一辺は、平面視において、第２コア９３ｂの枠の一辺と共通する。コア９３は、図５に示されるように、複数の第１磁性材９４と、複数の第２磁性材９５と、から構成される。
【００４３】
図８は、第１磁性材９４の正面図である。
図９は、図８の第１磁性材９４のＤ矢視の底面図である。
【００４４】
第１磁性材９４は、第１コア９３ａと第２コア９３ｂとを構成する。第１磁性材９４は、例えば、透磁率の高い金属製である。第１磁性材９４は、板状である。第１磁性材９４は、正面視においてＥの字状である。第１磁性材９４は、ベース部９４ａと、ベース部９４ａから同一方向に延びる３つの脚部である第１脚部９４ｂと第２脚部９４ｃと第３脚部９４ｄと、を備える。第１脚部９４ｂの長さは、第２脚部９４ｃの長さと第３脚部９４ｄの長さと同じである。
【００４５】
第１脚部９４ｂは、ベース部９４ａの長手方向（図８の紙面左右方向）の中央に配置される。第２脚部９４ｃは、ベース部９４ａの長手方向の一端に配置される。第３脚部９４ｄは、ベース部９４ａの長手方向の他端に配置される。第１脚部９４ｂは、本発明における第１中央部である。第２脚部９４ｃは、本発明における第１１コア部である。第３脚部９４ｄは、本発明における第１２コア部である。
【００４６】
図１０は、第２磁性材９５の正面図である。
図１１は、図１０の第２磁性材９５のＥ矢視の底面図である。
【００４７】
第２磁性材９５は、第１コア９３ａと、第２コア９３ｂの一部と、を構成する。第２磁性材９５は、例えば、透磁率の高い金属製である。第２磁性材９５は、板状である。第２磁性材９５は、正面視においてＵの字状である。第２磁性材９５は、ベース部９５ａと、ベース部９５ａから同一方向に延びる２つの脚部である第１脚部９５ｂと第２脚部９５ｃと、を備える。第１脚部９５ｂの長さは、第２脚部９５ｃの長さと同じである。
【００４８】
第１脚部９５ｂは、ベース部９５ａの長手方向（図１０の紙面左右方向）の一端に配置される。第２脚部９５ｃは、ベース部９５ａの長手方向の他端に配置される。第１脚部９５ｂは、本発明における第２中央部である。第２脚部９５ｃは、本発明における第２１コア部である。
【００４９】
第１磁性材９４の第１脚部９４ｂと第２脚部９４ｃとの間の距離Ｌ１は、第１磁性材９４の第１脚部９４ｂと第３脚部９４ｄとの間の距離Ｌ２と、第２磁性材９５の第１脚部９５ｂと第２脚部９５ｃとの間の距離Ｌ３と、同じである。
【００５０】
スイッチ１００は、図３に示されるように、スライド式のスイッチである。スイッチ１００は、本体部１０１と磁石１０２とを備える。トランス９０とスイッチ１００との位置関係については、後述する。
【００５１】
本体部１０１は、例えば、真鍮などの金属製である。本体部１０１は、磁石１０２を収納する収納部１０１ａを備える。
【００５２】
磁石１０２は、コア９３の磁路Ｍに磁界（直流磁界）を印加させる。磁石１０２は、本発明における磁界印加部の例である。磁石１０２は、例えば、永久磁石である。磁石１０２は、本体部１０１の収納部１０１ａに収納される。
【００５３】
なお、磁石は、コア９３の磁路Ｍに磁界を発生させればよく、永久磁石に限定されない。
【００５４】
●トランスの組立方法
次に、トランス９０の組立方法について、図４と図５とを参照して説明する。
【００５５】
コイル９６は、１次巻線と２次巻線９２とがコイルボビン９１に巻き回されることで、組み立てられる。コイル９６は、コイルボビン９１の中空部９１ｈを備える。１次巻線は、コイルボビン９１の外周面を囲むように配置される。２次巻線９２は、１次巻線の外側を囲むように配置される。
【００５６】
コア９３は、例えば、８枚の第１磁性材９４１−９４８と、６枚の第２磁性材９５１−９５８と、が積層されて構成される。
【００５７】
第１磁性材９４１−９４８と第２磁性材９５１−９５６とは、コイル９６に取り付けられる。第１磁性材９４１−９４８の第１脚部９４１ｂ−９４８ｂ（偶数番は不図示）は、コイル９６の中空部９１ｈ内に、中空部９１ｈの両端側から交互に挿通される。第２磁性材９５１−９５６の第１脚部９５１ｂ−９５６ｂ（偶数番は不図示）は、コイル９６の中空部９１ｈ内に、中空部９１ｈの両端側から交互に挿通される。
【００５８】
第１磁性材９４１−９４８は、２枚を一対として、互いに向きを変えて積層される。第１磁性材９４１−９４８は、正面視において、並列に配置された２つの矩形状の閉磁路を形成する。
【００５９】
第２磁性材９５１−９５６は、２枚を一対として、互いに向きを変えて積層される。第２磁性材９５１−９５６は、正面視において、矩形状の閉磁路を形成する。正面視において、第２磁性材９５１−９５６が形成する閉磁路の形状は、第１磁性材９４１−９４８が形成するいずれの閉磁路の形状とも同じである。
【００６０】
一対の第１磁性材９４は、一対の第２磁性材９５と交互に積層される。
【００６１】
第１磁性材９４１−９４８の第２脚部９４１ｃ−９４８ｃ（偶数番は不図示）と第２磁性材９５１−９５６の第２脚部９５１ｃ−９５６ｃ（偶数番は不図示）とは、中空部９１ｈの貫通方向（図５の紙面垂直方向）に直交する方向（図５の紙面左右方向）におけるコイル９６の一側方（以下「一側方」という。）に配置される。一方、第１磁性材９４１−９４８の第３脚部９４１ｄ−９４８ｄは、コイル９６の一側方の反対側の側方（以下「他側方」という。）に配置される。
【００６２】
第１磁性材９４１−９４８のベース部９４１ａ−９４８ａと第１脚部９４１ｂ−９４８ｂと第２脚部９４１ｃ−９４８ｃとは、第２磁性材９５１−９５６のベース部９５１ａ−９５６ａと第１脚部９５１ｂ−９５６ｂと第２脚部９５１ｃ−９５６ｃと共に、第１コア９３ａを構成する。すなわち、第１コア９３ａは、第１磁性材９４と第２磁性材９５とが積層されて構成される。
【００６３】
第１磁性材９４１−９４８のベース部９４１ａ−９４８ａと第１脚部９４１ｂ−９４８ｂと第３脚部９４１ｄ−９４８ｄは、第２磁性材９５１−９５６のベース部９５１ａ−９５６ａと第１脚部９５１ｂ−９５６ｂと共に、第２コア９３ｂを構成する。すなわち、第２コア９３ｂは、第１磁性材９４と、第２磁性材９５の一部と、が積層されて構成される。
【００６４】
第１コア９３ａと第２コア９３ｂとは、中空部９１ｈの貫通方向に直交する方向に並んで配置される。第２コア９３ｂは、第１コア９３ａと比較して、第１磁性材９４と第２磁性材９５との積層方向（図５の紙面上下方向）において隙間がある（歯抜け状である）。すなわち、第１コア９３ａが形成する磁路（以下「第１磁路」という。）Ｍ１は、第２コア９３ｂが形成する磁路（以下「第２磁路」という。）Ｍ２と比較して、広い。つまり、第１磁路Ｍ１は、中空部９１ｈに対して第２磁路Ｍ２とは非対称である。
【００６５】
前述のとおり、第２磁路Ｍ２は、第１磁路Ｍ１よりも狭い。そのため、第２磁路Ｍ２の磁気抵抗は、第１磁路Ｍ１の磁気抵抗より大きい。すなわち、第１磁路Ｍ１の磁束は、第２磁路Ｍ２の磁束よりも大きい。
【００６６】
なお、コアを構成する第１磁性材９４と第２磁性材９５の構成は、第１磁路と第２磁路とが非対称であれば、本実施の形態の枚数や積層順に限定されない。すなわち、例えば、複数の第１磁性材９４と複数の第２磁性材９５とは、交互に積層されずに、それぞれまとめて積層されてもよい。また、第１磁性材９４と第２磁性材９５の数は、第１磁路と第２磁路とが非対称であればよく、本実施の形態の数に限定されない。
【００６７】
●マイクロホンの製造方法
次に、マイクロホン１の製造方法について、図２と図３とを参照して、説明する。
【００６８】
先ず、ユニット５０と第１弾性体７０と第２弾性体８０とが、ユニットホルダ６０に取り付けられる。ユニット５０の後端は、ユニットホルダ６０の前端に嵌合される。ユニットホルダ６０の内部において、ユニット５０の後端とユニットホルダ６０とにより空気室Ａが形成される。
【００６９】
第１弾性体７０は、ユニットホルダ６０の外周面に取り付けられる。第２弾性体８０は、ユニットホルダ６０の弾性体支持部６１の外周面に取り付けられる。
【００７０】
次いで、ユニットホルダ６０がヘッドケース取付部材３０に取り付けられる。ユニットホルダ６０は、ヘッドケース取付部材３０の前方からヘッドケース取付部材３０の内側に挿入される。ユニットホルダ６０の弾性体支持部６１は、ヘッドケース取付部材３０の支持孔３１ｈに挿通される。ヘッドケース取付部材３０の内周面とユニットホルダ６０の外周面との間には、第１弾性体７０が配置される。支持孔３１ｈと弾性体支持部６１との間には、第２弾性体８０が配置される。すなわち、ユニットホルダ６０は、第１弾性体７０と第２弾性体８０とにより、防振支持される。
【００７１】
次いで、トランス９０とスイッチ１００と出力コネクタ１１０とがグリップ筐体１０に取り付けられる。
【００７２】
トランス９０は、グリップ筐体１０の前端側から、グリップ筐体１０に収納される。トランス９０は、例えば、不図示の固定部材によりグリップ筐体１０の前後方向の中央に、第１コア９３ａを前方（図２の紙面上方）に向けて固定される。
【００７３】
スイッチ１００は、グリップ筐体１０のスイッチ取付部１３に前後方向（図２の紙面上下方向）に移動可能に取り付けられる。磁石１０２の一方の磁極は、スイッチ取付部１３に面する。スイッチ１００の移動方向は、トランス９０の中空部９１ｈの貫通方向（図２の紙面左右方向）に直交する方向である前後方向（図２の紙面上下方向）である。
【００７４】
第１コア９３ａと磁石１０２との距離は、第２コア９３ｂと磁石１０２との距離よりも長い。
【００７５】
スイッチ１００がスイッチ取付部１３の前端に位置するとき（スイッチ１００がＯＮのとき）、磁石１０２は、グリップ筐体１０の長手方向（図２の紙面上下方向）において、第２コア９３ｂの側方に配置される。スイッチ１００がスイッチ取付部１３の後端に位置するとき（スイッチ１００がＯＦＦのとき）、磁石１０２は、グリップ筐体１０の長手方向において、第２コア９３ｂの後方に配置される。
【００７６】
第２コア９３ｂと磁石１０２との距離は、スイッチ取付部１３におけるスイッチ１００の位置により可変する。第２コア９３ｂと磁石１０２との距離は、スイッチ１００がスイッチ取付部１３の前端（ＯＮ）から後端（ＯＦＦ）へ移動するに連れて遠ざかる。すなわち、スイッチ１００がＯＦＦのとき、磁石１０２は、第２コア９３ｂから最も離れる。
【００７７】
このように、磁路が非対称に形成されたトランス９０と、スイッチ１００と、により、周波数フィルタ装置Ｆが構成される。
【００７８】
出力コネクタ１１０は、グリップ筐体１０の後端側からコネクタ収納部１２に収納される。出力コネクタ１１０がコネクタ収納部１２に収納された後、予めねじ穴１１１ｈに嵌め込まれた雄ねじ１１４は、工具挿通孔１２ｈに挿入されたドライバなどによりねじ穴１１１ｈから引き出されて、グリップ筐体１０の内周面に当接する。その結果、出力コネクタ１１０は、グリップ筐体１０に固定される。
【００７９】
ここで、トランス９０は、不図示のケーブルによりユニット５０と出力コネクタ１１０とに接続される。
【００８０】
次いで、ヘッドケース取付部材３０がグリップ筐体１０に取り付けられる。ヘッドケース取付部材３０は、グリップ筐体１０前端側からグリップ筐体１０の固定部１１に挿入される。取付ねじ４０は、グリップ筐体１０のねじ挿通孔１１ｈに挿通されて、ヘッドケース取付部材３０の雌ねじ孔３０ｈに嵌め込まれる。
【００８１】
次いで、ネームリング１２０がグリップ筐体１０の固定部１１の外周面に取り付けられる。取付ねじ４０は、ネームリング１２０により外部から隠される。
【００８２】
次いで、ヘッドケース２０がグリップ筐体１０の前方からヘッドケース取付部材３０に取り付けられる。ヘッドケース２０のケース固定部２２の雌ねじ部２２ａは、ヘッドケース取付部材３０の雄ねじ部３０ａに嵌め込まれる。ユニット５０は、ヘッドケース２０の内部に配置される。
【００８３】
●周波数フィルタ装置の動作
次に、周波数フィルタ装置Ｆの動作について、説明する。
【００８４】
図１２は、スイッチ１００がＯＮのときの周波数フィルタ装置Ｆの模式図である。
図１３は、スイッチ１００がＯＦＦのときの周波数フィルタ装置Ｆの模式図である。
図１２と図１３とにおいて、楕円矢印は、スイッチ１００が備える磁石１０２の磁界（磁束）を示す。
【００８５】
スイッチ１００がＯＮのとき、磁石１０２は、第２コア９３ｂの歯抜け状の部分（第２磁路Ｍ２の狭い部分）の側方に配置される。磁石１０２の一方の磁極は、スイッチ取付部１３を介して、第２コア９３ｂの歯抜け状の部分と対向する。このとき、磁石１０２からの直流磁界が、第２コア９３ｂ（第２磁路Ｍ２）に印加される。そのため、第２コア９３ｂが形成する第２磁路Ｍ２は、第２磁路Ｍ２の狭い部分において、磁石１０２から印加された直流磁界により磁気的に飽和する。その結果、トランス９０の低域の周波数応答は、劣化する。
【００８６】
スイッチ１００をＯＮからＯＦＦに移動させる、すなわち、磁石１０２を第２コア９３ｂから遠ざけると、第２コア９３ｂと磁石１０２との距離に応じて、磁石１０２から第２コア９３ｂに印加される直流磁界の磁束密度は減少する。つまり、トランス９０の低域の周波数応答の劣化は、磁石１０２と第２コア９３ｂとの距離が遠ざかるに連れて、回復する。
【００８７】
スイッチ１００がＯＦＦのとき、磁石１０２からの直流磁界は、第２磁路Ｍ２にほとんど印加されない。すなわち、スイッチ１００がＯＦＦのとき、トランス９０の低域の周波数応答の劣化は、少ない。
【００８８】
このように、磁石１０２から第２コア９３ｂに印加される直流磁界の磁束密度は、第２コア９３ｂと磁石１０２との距離を調節することにより調節される。
【００８９】
ユニット５０から出力された電気信号は、トランス９０を介して出力コネクタ１１０からアンプなどの外部機器に出力される。トランス９０の低域の周波数応答が劣化すると、ユニット５０から出力された電気信号の周波数応答は、トランス９０において所定の周波数より低域で劣化する。この電気信号の周波数応答の劣化が始まるローカットのカットオフ周波数（以下「ローカット周波数」という。）は、第２コア９３ｂと磁石１０２との距離に依存する。すなわち、ローカット周波数は、第２コア９３ｂと磁石１０２との距離が近くなるに連れて、高くなる。
【００９０】
前述のとおり、スイッチ１００は、前後方向に移動可能である。すなわち、第２コア９３ｂと磁石１０２との距離は、連続的に変更可能である。つまり、周波数フィルタ装置Ｆは、ローカット周波数を連続的に可変させる。
【００９１】
図１４は、スイッチ１００をＯＮからＯＦＦまで移動させたときの、マイクロホン１の周波数応答のグラフである。同図は、スイッチ１００をＯＦＦからＯＮまで４段階に変化させたときのマイクロホン１の周波数応答を示す。符号「ａ」は、スイッチ１００がＯＦＦのときのマイクロホン１の周波数応答を示す。符号「ｂ」「ｃ」「ｄ」は、スイッチ１００がＯＦＦからＯＮへ段階的に移動したときのマイクロホン１の周波数応答を示す。磁石１０２から第２コア９３ｂに印加される直流磁界の磁束密度は、符号「ｂ」「ｃ」「ｄ」の順に増加する。
【００９２】
ローカット周波数は、磁石１０２から第２コア９３ｂに印加される直流磁界の磁束密度に応じて可変する。磁石１０２から第２コア９３ｂに印加される直流磁界の磁束密度が高いとき（符号「ｄ」のとき）、ローカット周波数は、例えば、３５０Ｈｚである。磁石１０２から第２コア９３ｂに加えられる直流磁界の磁束密度が低いとき（符号「ｂ」のとき）、ローカット周波数は、例えば、４５Ｈｚである。
【００９３】
●まとめ
以上説明した実施の形態によれば、周波数フィルタ装置Ｆは、磁束が異なる２つのコア９３ａ、９３ｂを備える（磁路Ｍ１、Ｍ２が非対称に構成される）トランス９０と、トランス９０に直流磁界を印加する磁石１０２とを有してなる。そのため、トランス９０の磁束が小さい側の第２コア９３ｂが形成する第２磁路Ｍ２は、磁石１０２から印加された直流磁界により飽和する。その結果、トランス９０の低域の周波数応答は、劣化する。
【００９４】
また、磁石１０２は、第１コア９３ａと第２コア９３ｂとが並んで配置される方向に移動可能である。そのため、第２コア９３ｂと磁石１０２との距離の調節は、容易である。  
【００９５】
さらに、スイッチ取付部１３におけるスイッチ１００の位置を移動させることで、第２コア９３ｂと磁石１０２との距離は、連続的に変わる。すなわち、トランス９０のローカット周波数は、連続的に変わる。
【００９６】
さらにまた、トランス９０のコア９３は、Ｅの字状の第１磁性材９４と、Ｕの字状の第２磁性材９５と、の２種類の磁性材が積層されて構成される。コア９３は、第１磁性材９４と第２磁性材９５とから構成される第１コア９３ａと、第１磁性材９４と第２磁性材９５の一部とから構成される第２コア９３ｂと、から構成される。そのため、本発明にかかる周波数フィルタ装置は、従来のＥＸ型の積層コアの構成の一部を変更するという簡易な構成で、磁路Ｍの一部を狭くすることができる。
【００９７】
さらにまた、第１コア９３ａと磁石１０２との距離は、第２コア９３ｂと磁石１０２との距離よりも長い（遠い）。そのため、磁石１０２は、第１磁路Ｍ１よりも狭い第２磁路Ｍ２に効率的に直流磁界を印加することができる。
【００９８】
このように、本発明にかかる周波数フィルタ装置は、簡易な構成で、容易、かつ、連続的にローカット周波数を変えることができる。
【００９９】
また、本発明にかかるマイクロホンは、本発明にかかる周波数フィルタ装置を備える。そのため、本発明にかかるマイクロホンは、簡易な構成で、容易、かつ、連続的にローカット周波数を変えることができる。
【符号の説明】
【０１００】
Ｆ        周波数フィルタ装置
１        マイクロホン
１０      グリップ筐体
２０      ヘッドケース
３０      ヘッドケース取付部材
４０      取付ねじ
５０      ユニット
６０      ユニットホルダ
７０      第１弾性体
８０      第２弾性体
９０      トランス
９１      コイルボビン
９１ｈ    孔（中空部）
９２      ２次巻線
９３      コア
９３ａ    第１コア
９３ｂ    第２コア
９４      第１磁性材
９４ａ    ベース部
９４ｂ    第１脚部（第１中央部）
９４ｃ    第２脚部（第１１コア部）
９４ｄ    第３脚部（第１２コア部）
９５      第２磁性材
９５ａ    ベース部
９５ｂ    第１脚部（第２中央部）
９５ｃ    第２脚部（第２１コア部）
９６      コイル
１００    スイッチ
１０１    本体部
１０２    磁石（電界印加部）
１１０    出力コネクタ
１２０    ネームリング
【図１】
0006649171.tif 000002
【図２】
0006649171.tif 000003
【図３】
0006649171.tif 000004
【図４】
0006649171.tif 000005
【図５】
0006649171.tif 000006
【図６】
0006649171.tif 000007
【図７】
0006649171.tif 000008
【図８】
0006649171.tif 000009
【図９】
0006649171.tif 000010
【図１０】
0006649171.tif 000011
【図１１】
0006649171.tif 000012
【図１２】
0006649171.tif 000013
【図１３】
0006649171.tif 000014
【図１４】
0006649171.tif 000015